(57)【特許請求の範囲】
【請求項１】
無線リソースコントロール（ＲＲＣ）接続済状態にあるときに、ネットワークアクセスノードからＲＲＣ接続解放メッセージを受信する段階と、
前記ＲＲＣ接続解放メッセージの一部分を構成する待機タイマー指示に基づいて待機タイマーをセットする段階と、
前記待機タイマーの満了時に、前記ネットワークアクセスノードへのＲＲＣ接続要求メッセージの送信を開始できるようにする段階と、
を備えた方法。
【請求項２】
前記待機タイマー指示は、前記待機タイマーをセットする期間を明示的に定める情報エレメントにおいて受信される、請求項１に記載の方法。
【請求項３】
前記待機タイマー指示は、前記待機タイマーをセットする期間を暗示的に定める情報として受信される、請求項１に記載の方法。
【請求項４】
前記情報は、解放原因指示の一部分を構成し、前記待機タイマーは、所定値にセットされる、請求項３に記載の方法。
【請求項５】
前記所定値は、ユーザ装置のソフトウェアの一部分として予め記憶される、請求項４に記載の方法。
【請求項６】
前記所定値は、システム情報シグナリングの一部分としてネットワークアクセスノードから受け取られる、請求項４に記載の方法。
【請求項７】
ソフトウェアプログラムインストラクションを含み、少なくとも１つのデータプロセッサによるソフトウェアプログラムインストラクションの実行で、請求項１から６のいずれか１項に記載の方法の実行を含む動作が遂行される、非一時的なコンピュータ読み取り可能な媒体。
【請求項８】
少なくとも１つのデータプロセッサと、
コンピュータプログラムコードを含む少なくとも１つのメモリと、
を備えた装置であって、前記メモリ及びコンピュータプログラムコードは、プロセッサと共に、装置が、少なくとも、無線リソースコントロール（ＲＲＣ）接続済状態にあるときに、ネットワークアクセスノードからＲＲＣ接続解放メッセージを受信し、前記ＲＲＣ接続解放メッセージの一部分を構成する待機タイマー指示に基づいて装置の待機タイマーをセットし、そして前記待機タイマーの満了時に、前記ネットワークアクセスノードへのＲＲＣ接続要求メッセージの送信を開始できるようにするよう構成された、装置。
【請求項９】
前記待機タイマー指示は、前記待機タイマーをセットする期間を明示的に定める情報エレメントにおいて受信される、請求項８に記載の装置。
【請求項１０】
前記待機タイマー指示は、前記待機タイマーをセットする期間を暗示的に定める情報として受信される、請求項８に記載の装置。
【請求項１１】
前記情報は、解放原因指示の一部分を構成し、前記待機タイマーは、所定値にセットされる、請求項１０に記載の装置。
【請求項１２】
前記所定値は、装置のソフトウェアの一部分として予め記憶される、請求項１１に記載の装置。
【請求項１３】
前記所定値は、システム情報シグナリングの一部分としてネットワークアクセスノードから受け取られる、請求項１１に記載の装置。
【請求項１４】
前記装置は、長期進化セルラー無線規格に合致するユーザ装置より成る、請求項８から１３のいずれか１項に記載の装置。
【請求項１５】
タイマー手段と、
無線リソースコントロール（ＲＲＣ）接続済状態にあるときに、ネットワークアクセスノードからＲＲＣ接続解放メッセージを受信するための手段と、
前記ＲＲＣ接続解放メッセージの一部分を含む待機タイマー指示に基づいて前記タイマー手段をセットする手段と、
前記タイマーの満了に応答して、前記ネットワークアクセスノードへのＲＲＣ接続要求メッセージの送信を開始できるようにする手段と、
を備えた装置。
【請求項１６】
前記待機タイマー指示は、前記タイマー手段をセットする期間を明示的に定める情報エレメントにおいて前記受信手段により受信される、請求項１５に記載の装置。
【請求項１７】
前記待機タイマー指示は、前記タイマー手段をセットする期間を暗示的に定める情報として前記受信手段により受信され、前記情報は、解放原因指示の一部分を構成し、前記タイマー手段は、所定値にセットされ、前記所定値は、前記装置のソフトウェアの一部分として予め記憶されるか、又はシステム情報シグナリングの一部分としてネットワークアクセスノードから前記受信手段により受け取られるかのいずれかである、請求項１５に記載の装置。
【請求項１８】
移動ノードでネットワークアクセスノードを動作する段階と、
無線リソースコントロール（ＲＲＣ）接続解放メッセージを前記移動ノードへ送信する段階と、
を備え、前記ＲＲＣ接続解放メッセージは、ＲＲＣ接続要求メッセージの送信を開始するまで前記移動ノードが待機しなければならない時間量を指定するための待機タイマー指示を含むものである、方法。
【請求項１９】
前記待機タイマー指示は、前記待機タイマーをセットする期間を明示的に定める情報エレメントに含まれる、請求項１８に記載の方法。
【請求項２０】
前記待機タイマー指示は、前記待機タイマーをセットする期間を暗示的に定める情報として送信される、請求項１８に記載の方法。
【請求項２１】
前記待機タイマー指示は解放原因指示において送信される、請求項１８に記載の方法。
【請求項２２】
ソフトウェアプログラムインストラクションを含み、少なくとも１つのデータプロセッサによるソフトウェアプログラムインストラクションの実行で、請求項１８から２１のいずれか１項に記載の方法の実行を含む動作が遂行される、非一時的なコンピュータ読み取り可能な媒体。
【請求項２３】
少なくとも１つのデータプロセッサと、
コンピュータプログラムコードを含む少なくとも１つのメモリと、
を備えた装置であって、前記メモリ及びコンピュータプログラムコードは、プロセッサと共に、装置が、少なくとも、無線リソースコントロール（ＲＲＣ）接続解放メッセージを移動ノードへ送信するようにさせるよう構成され、前記ＲＲＣ接続解放メッセージは、ＲＲＣ接続要求メッセージの送信を開始するまで移動ノードが待機しなければならない時間量を指定するための待機タイマー指示を含むものである、装置。
【請求項２４】
前記待機タイマー指示は、前記待機タイマーをセットする期間を明示的に定める情報エレメントに含まれる、請求項２３に記載の装置。
【請求項２５】
前記待機タイマー指示は、前記待機タイマーをセットする期間を暗示的に定める情報として送信される、請求項２３に記載の装置。
【請求項２６】
前記待機タイマー指示は解放原因指示において送信される、請求項２３に記載の装置。
【請求項２７】
前記装置は、長期進化セルラー無線規格に合致する改善型Ｎｏｄｅ−Ｂのようなネットワークアクセスノードより成る、請求項２３から２６のいずれか１項に記載の装置。
【発明の詳細な説明】
【技術分野】
【０００１】
本発明は、一般的に、ワイヤレス通信システム、方法、装置及びコンピュータプログラムに関するもので、より特定すれば、移動ノードとネットワークアクセスノードとの間の無線リソースコントロールシグナリングに関するが、これに限定されない。
【背景技術】
【０００２】
本章は、特許請求の範囲に記載された発明に対する背景又は状況を与えることを意図している。ここでの説明は、追求できるが必ずしもこれまでに想像、具現化又は説明されたものではない概念を含むかもしれない。それ故、特に指示のない限り、本章の説明は、本出願の説明及び特許請求の範囲に対する従来技術でもないし、本章に含ませることで従来技術として認められるものでもない。
【０００３】
明細書及び／又は図面に見られる以下の省略形は、次のように定められる。
３ＧＰＰ：第３世代パートナーシッププロジェクト
ＢＳ：ベースステーション
ＤＬ：ダウンリンク（ｅＮＢからＵＥに向かう）
ｅＮＢ：Ｅ−ＵＴＲＡＮ  ＮｏｄｅＢ（進化型ＮｏｄｅＢ）
ＥＰＣ：進化型パケットコア
Ｅ−ＵＴＲＡＮ：進化型ＵＴＲＡＮ（ＬＴＥ）
ＦＤＭＡ：周波数分割多重アクセス
ＩＭＴＡ：国際移動テレコミュニケーションアソシエーション
ＩＴＵ−Ｒ：国際テレコミュニケーションユニオン−無線通信セクタ
ＬＴＥ：ＵＴＲＡＮ（Ｅ−ＵＴＲＡＮ）の長期進化
ＬＴＥ−Ａ：ＬＴＥ進歩型
ＭＡＣ：メディアアクセスコントロール（レイヤ２、Ｌ２）
ＭＭ／ＭＭＥ：移動マネージメント／移動マネージメントエンティティ
ＮＡＳ：非アクセス層
ＢｏｄｅＢ：ベースステーション
ＯＦＤＭＡ：直交周波数分割多重アクセス
Ｏ＆Ｍ：オペレーション及びメンテナンス
ＰＤＣＰ：パケットデータ集中プロトコル
ＰＨＹ：物理的（レイヤ１、Ｌ１）
Ｒｅｌ：リリース
ＲＬＣ：無線リンクコントロール
ＲＲＣ：無線リソースコントロール
ＲＲＭ：無線リソースマネージメント
ＳＧＷ：サービングゲートウェイ
ＳＣ−ＦＤＭＡ：単一搬送波、周波数分割多重アクセス
ＵＥ：移動ステーション、移動ノード又は移動ターミナルのようなユーザ装置
ＵＬ：アップリンク（ＵＥからｅＮＢに向かう）
ＵＴＲＡＮ：ユニバーサル地上無線アクセスネットワーク
【０００４】
１つの近代的な通信システムは、進化型ＵＴＲＡＮ（Ｅ−ＵＴＲＡＮ、又、ＵＴＲＡＮ−ＬＴＥ又はＥ−ＵＴＲＡとも称される）として知られている。このシステムでは、ＤＬアクセス技術はＯＦＤＭＡであり、そしてＵＬアクセス技術はＳＣ−ＦＤＭＡである。
【０００５】
１つの当該仕様は、３ＧＰＰ  ＴＳ  ３６．００、Ｖ８．１１．０(２００９−１２)、第三世代パートナーシッププロジェクト；技術仕様グループ無線アクセスネットワーク；進化型ユニバーサル地上無線アクセス（Ｅ−ＵＴＲＡ）及び進化型ユニバーサル地上アクセスネットワーク（ＥＵＴＲＡＮ）；全説明；ステージ２（リリース８）であり、これは参考としてここにそのまま援用する。このシステムは、便宜上、ＬＴＥ  Ｒｅl−８と称される。一般的に、３ＧＰＰ  ＴＳ  ３６．ｘｙｚとして与えられる仕様のセット（例えば、３６．２１１、３６．３１１、３６．３１２、等）は、リリース８  ＬＴＥシステムを説明するものと考えられる。最近では、少なくとも幾つかのこれら仕様のリリース９バージョンが、３ＧＰＰ  ＴＳ  ３６．３００、Ｖ９．３．０（２０１０−０３）を含めて、発行されている。
【０００６】
図１は、３ＧＰＰ  ＴＳ  ３６．３００、Ｖ８．１１．０の図４．１を再現したもので、ＥＵＴＲＡＮシステム（Ｒｅｌ−８）の全体的なアーキテクチャーを示す。Ｅ−ＵＴＲＡＮシステムは、ＵＥに向かってＥ−ＵＴＲＡＮユーザプレーン（ＰＤＣＰ／ＲＬＣ／ＭＡＣ／ＰＨＹ）及びコントロールプレーン（ＲＲＣ）プロトコルターミネーションを与えるｅＮＢを備えている。ｅＮＢは、Ｘ２インターフェイスにより互いに相互接続される。又、ｅＮＢは、Ｓ１インターフェイスによりＥＰＣに接続され、より詳細には、Ｓ１  ＭＭＥインターフェイスによりＭＭＥに、及びＳ１インターフェイス（ＭＭＥ／Ｓ−ＧＷ４）によりＳ−ＧＷにも接続される。Ｓ１インターフェイスは、ＭＭＥ／Ｓ−ＧＷ／ＵＰＥとｅＮＢとの間の多対多の関係をサポートする。
【０００７】
ｅＮＢは、次の機能をホストする。
ＲＲＭの機能：ＲＲＣ、無線アドミッションコントロール、接続移動コントロール、ＵＬ及びＤＬの両方におけるＵＥへのリソースの動的な割り当て（スケジューリング）；
ユーザデータストリームのＩＰヘッダ圧縮及び暗号化；
ＵＥアタッチメントにおけるＭＭＥの選択；
ＥＰＣ（ＭＭＥ／Ｓ−ＧＷ）に向けたユーザプレーンデータのルーティング；
ページングメッセージ（ＭＭＥから発生された）のスケジューリング及び送信；
放送情報（ＭＭＥ又はＯ＆Ｍから発生された）のスケジューリング及び送信；及び
移動及びスケジューリングのための測定及び測定報告構成。
【０００８】
ここで関心があるものは、将来のＩＭＴＡシステムをターゲットとする３ＧＰＰ  ＬＴＥの更なるリリース（例えば、ＬＴＥ  Ｒｅｌ−１０）であり、ここでは、便宜上、単にＬＴＥ−進歩型（ＬＴＥ−Ａ）と称される。この点については、３ＧＰＰ  ＴＲ  ３６．９１３、Ｖ９．０．０（２００９−１２）、第３世代パートナーシッププロジェクト；技術仕様グループ無線アクセスネットワーク；Ｅ−ＵＴＲＡの更なる進歩のための要求（ＬＴＥ進歩型）（リリース９）を参照する。又、３ＧＰＰ  ＴＲ  ３６．９１２、Ｖ９．３．０（２０１０−０６）テクニカルレポート第３世代パートナーシッププロジェクト；技術仕様グループ無線アクセスネットワーク；Ｅ−ＵＴＲＡの更なる進歩のための実現性研究（ＬＴＥ進歩型）（リリース９）も参照する。ＬＴＥ−Ａの目標は、より高いデータレート及びより低いレイテンシにより低いコストで著しく改善されたサービスを提供することである。ＬＴＥ−Ａは、より高いデータレートをより低いコストで与えるように、３ＧＰＰ  ＬＴＥ  Ｒｅｌ−８無線アクセス技術を拡張し且つ最適化することに向けられる。ＬＴＥ−Ａは、ＬＴＥ  Ｒｅｌ−８との後方互換性を維持しながらＩＭＴ進歩型のＩＴＵ−Ｒ要求を満足するより最適な無線システムとなる。
【０００９】
ここで特に関心があるものは、３ＧＰＰ  ＴＳ  ３６．３３１  Ｖ９．３．０（２０１０−０６）技術的仕様第３世代パートナーシッププロジェクト；技術仕様グループ無線アクセスネットワーク；進化型ユニバーサル地上無線アクセス（Ｅ−ＵＴＲＡ）；無線リソースコントロール（ＲＲＣ）；プロトコル仕様（リリース９）、特に、セクション５．３．３、ＲＲＣ接続確立及びセクション５．３．８、ＲＲＣ接続解放である。ここでの図３は、図５．３．３．１−１：ＲＲＣ接続確立、成功を再現し；ここでの図４は、図５．３．３．１−２：ＲＲＣ接続確立、ネットワーク拒絶を再現し；そしてここでの図５は、３ＧＰＰ  ＴＳ  ３６．３３１から、図５．３．８．１−１：ＲＲＣ接続解放、成功を再現している。
【００１０】
ＬＴＥシステムでは、ＲＲＣ接続設定手順は、図３に示す３つのメッセージ、即ちＲＲＣＣｏｎｎｅｃｔｉｏｎＲｅｑｕｅｓｔ（ＲＲＣ接続要求）、ＲＲＣＣｏｎｎｅｃｔｉｏｎＳｅｔｕｐ（ＲＲＣ接続設定）、及びＲＲＣＣｏｎｎｅｃｔｉｏｎＳｅｔｕｐＣｏｍｐｌｅｔｅ（ＲＲＣ接続設定完了）を含む。ｅＮＢは、それがＲＲＣアイドルモードにあるときにＵＥから送られたＲＲＣＣｏｎｎｅｃｔｉｏｎＲｅｑｕｅｓｔを受け入れることができる場合には、ＲＲＣＣｏｎｎｅｃｔｉｏｎＳｅｔｕｐで応答し、そしてＵＥは、ＲＲＣＣｏｎｎｅｃｔｅｄ（ＲＲＣ接続済）となる。他方、ｅＮＢは、それが何らかの理由（例えば、混雑）でＲＲＣＣｏｎｎｅｃｔｉｏｎＲｅｑｕｅｓｔを受け容れられない場合には、図４に示すＲＲＣＣｏｎｎｅｃｔｉｏｎＲｅｊｅｃｔ（ＲＲＣ接続拒絶）メッセージで応答する。
【００１１】
ＲＲＣＣｏｎｎｅｃｔｉｏｎＲｅｊｅｃｔメッセージにおいて、ｅＮＢは、ＲＲＣ接続を設定する別の試みを再トライするまである時間待機しなければならないことをＵＥに指示することができる。セクション５．３．３．８に述べられたように、ＵＥは、ＲＲＣＣｏｎｎｅｃｔｉｏｎＲｅｊｅｃｔメッセージで指定されるｗａｉｔＴｉｍｅにセットされたタイマー値でタイマーＴ３０２をスタートする。
0005889308.tif 000002
【発明の概要】
【００１２】
本発明の規範的実施形態の１つの態様によれば、無線リソースコントロール（ＲＲＣ）接続済状態にあるときに、ネットワークアクセスノードからＲＲＣ接続解放メッセージを受信し；そのＲＲＣ接続解放メッセージの一部分を含む待機タイマー指示に基づいて待機タイマーをセットし；そしてその待機タイマーの満了時に、ネットワークアクセスノードへのＲＲＣ接続要求メッセージの送信を開始できるようにすることを含む方法が提供される。
【００１３】
本発明の規範的実施形態の別の態様によれば、少なくとも１つのデータプロセッサと、コンピュータプログラムコードを含む少なくとも１つのメモリとを備えた装置が提供される。メモリ及びコンピュータプログラムコードは、プロセッサと共に、装置が、少なくとも、無線リソースコントロール（ＲＲＣ）接続済状態にあるとき、ネットワークアクセスノードからＲＲＣ接続解放メッセージを受信し；そのＲＲＣ接続解放メッセージの一部分を含む待機タイマー指示に基づいて装置の待機タイマーをセットし；そしてその待機タイマーの満了時に、ネットワークアクセスノードへのＲＲＣ接続要求メッセージの送信を開始できるようにするよう構成される。
【００１４】
本発明の規範的実施形態の別の態様によれば、タイマー手段と；無線リソースコントロール（ＲＲＣ）接続済状態にあるとき、ネットワークアクセスノードからＲＲＣ接続解放メッセージを受信するための手段と；そのＲＲＣ接続解放メッセージの一部分を含む待機タイマー指示に基づいて前記タイマー手段をセットする手段と；前記タイマーの満了に応答して、ネットワークアクセスノードへのＲＲＣ接続要求メッセージの送信を開始できるようにする手段と；を備えた装置が提供される。
【００１５】
本発明の規範的実施形態の更に別の態様によれば、移動ノードでネットワークアクセスノードを動作し、そして無線リソースコントロール（ＲＲＣ）接続解放メッセージを移動ノードへ送信することを含み、ＲＲＣ接続解放メッセージは、ＲＲＣ接続要求メッセージの送信を開始するまで移動ノードが待機しなければならない時間量を指定するための待機タイマー指示を含むものである方法が提供される。
【００１６】
本発明の規範的実施形態の更に別の態様によれば、少なくとも１つのデータプロセッサと、コンピュータプログラムコードを含む少なくとも１つのメモリとを備えた装置が提供される。メモリ及びコンピュータプログラムコードは、プロセッサと共に、装置が、少なくとも、無線リソースコントロール（ＲＲＣ）接続解放メッセージを移動ノードへ送信するようにさせるよう構成され、ＲＲＣ接続解放メッセージは、ＲＲＣ接続要求メッセージの送信を開始するまで移動ノードが待機しなければならない時間量を指定するための待機タイマー指示を含むものである装置が提供される。
【図面の簡単な説明】
【００１７】
【図１】３ＧＰＰ  ＴＳ  ３６．３００の図４．１を再現したもので、ＥＵＴＲＡＮシステムの全体的アーキテクチャーを示す。
【図２】本発明の規範的実施形態の具現化に使用するのに適した種々の電子装置の簡単なブロック図である。
【図３】３ＧＰＰ  ＴＳ  ３６．３３１からの図５．３．３．１−１：ＲＲＣ接続確立、成功を再現したものである。
【図４】３ＧＰＰ  ＴＳ  ３６．３３１からの図５．３．３．１−２：ＲＲＣ接続確立、ネットワーク拒絶を再現したものである。
【図５】３ＧＰＰ  ＴＳ  ３６．３３１からの図５．３．８．１−１：ＲＲＣ接続解放、成功を再現したものである。
【図６】本発明の規範的実施形態による方法の操作、及びコンピュータ読み取り可能なメモリで実施されるコンピュータプログラムインストラクションの実行の結果を示す論理フローチャートである。
【図７】本発明の更に別の規範的実施形態による方法の操作、及びコンピュータ読み取り可能なメモリで実施されるコンピュータプログラムインストラクションの実行の結果を示す論理フローチャートである。
【発明を実施するための形態】
【００１８】
あるケースにおいて、ｅＮＢは、ＲＲＣＣｏｎｎｅｃｔｉｏｎＲｅｑｕｅｓｔメッセージを受信したときにＲＲＣＣｏｎｎｅｃｔｉｏｎＲｅｑｕｅｓｔを拒絶すべきかどうかに関して充分な情報をもたないことがあり、そしてＵＥからＲＲＣＣｏｎｎｅｃｔｉｏｎＳｅｔｕｐＣｏｍｐｌｅｔｅを受信する後までその情報をもたないことがある。ｅＮＢは、何らかの理由でそれがＲＲＣ接続を解放する必要があると決定すると、図５に示すＲＲＣＣｏｎｎｅｃｔｉｏｎＲｅｌｅａｓｅ（ＲＲＣ接続解放）メッセージを送信する。しかしながら、ＲＲＣＣｏｎｎｅｃｔｉｏｎＲｅｌｅａｓｅメッセージは、ＵＬがＲＲＣ接続済状態を再び設定するのを試みるまである時間待機しなければならないことをＵＬに指示するための手段を有していない。あるケースでは、ＵＥは、アプリケーションにより接続を行うためにトリガーされるまで接続を再試みしないことがある。別のケースでは、ＵＥが非アクセス層（ＮＡＳ）手順を単に中止して、ＲＲＣＣｏｎｎｅｃｔｉｏｎＲｅｑｕｅｓｔメッセージの送信を再試みしないことがある。非アクセス層（ＮＡＳ）は、無線界面においてＵＥとＭＭＥとの間のコントロール平面の最高層を形成する。
【００１９】
本発明の規範的な実施形態は、ＲＲＣＣｏｎｎｅｃｔｉｏｎＲｅｌｅａｓｅメッセージに待機タイマー情報を追加することにより上述した問題を克服する。ある実施形態では、待機タイマー情報は、待機タイマーの期間を明示的に指定し、別の実施形態では、待機タイマー情報は、待機タイマーをある所定値（例えば、標準的プロトコル仕様ドキュメントによりセットされる値）にセットすべきであることをＵＥに暗示的に指定する。いずれにせよ、ＵＥは、ＲＲＣＣｏｎｎｅｃｔｉｏｎＲｅｌｅａｓｅメッセージにおいて待機タイマー情報を受信すると、ＮＡＳ手順を繰り返して別のＲＲＣＣｏｎｎｅｃｔｉｏｎＲｅｑｕｅｓｔメッセージを同じセルに送信する前に待機タイマーが満了になるのを待機する。
【００２０】
本発明の規範的実施形態を更に詳細に説明する前に、本発明の規範的実施形態の具現化に使用するのに適した種々の電子デバイス及び装置の簡単なブロック図である図２を参照する。図２において、ワイヤレスネットワーク１は、ワイヤレスリンク１１を越え、ＮｏｄｅＢ（ベースステーション）、より特定すれば、ｅＮＢ１２のようなネットワークアクセスノードを経て、移動ノード又はＵＥ１０と称される移動通信装置のような装置と通信するようにされる。ネットワーク１は、ネットワークコントロール要素（ＮＣＥ）１４を備え、これは、図１Ａに示したＭＭＥ／ＳＧＷ機能を含み、そして電話ネットワーク及び／又はデータ通信ネットワーク（例えば、インターネット）のような更に別のネットワークとの接続をなすものである。ＵＥ１０は、少なくとも１つのコンピュータ又はデータプロセッサ（ＤＰ）１０Ａのようなコントローラと、コンピュータインストラクションのプログラム（ＰＲＯＧ）１０Ｃを記憶するメモリ（ＭＥＭ）１０Ｂとして実施される少なくとも１つの非一時的コンピュータ読み取り可能なメモリ媒体と、１つ以上のアンテナを経てｅＮＢ１２と両方向ワイヤレス通信するための少なくとも１つの適当な高周波（ＲＦ）送信器／受信器対（トランシーバ）１０Ｄとを備えている。又、ｅＮＢ１２も、少なくとも１つのコンピュータ又はデータプロセッサ（ＤＰ）１２Ａのようなコントローラと、コンピュータインストラクションのプログラム（ＰＲＯＧ）１２Ｃを記憶するメモリ（ＭＥＭ）１２Ｂとして実施される少なくとも１つのコンピュータ読み取り可能なメモリ媒体と、１つ以上の（典型的に複数入力／複数出力（ＭＩＭＯ）動作が使用されるときには複数の）アンテナを経てＵＥ１０と通信するための少なくとも１つの適当なＲＦトランシーバ１２Ｄとを備えている。ｅＮＢ１２は、データ／コントロール経路１３を経てＮＣＥ１４に結合される。経路１３は、図１に示したＳ１インターフェイスとして具現化される。又、ｅＮＢ１２は、図１に示したＸ２インターフェイスとして具現化されるデータ／コントロール経路１５を経て別のｅＮＢにも結合される。
【００２１】
本発明の規範的実施形態の説明上、ＵＥ１０は、ＲＲＣファンクション又はモジュール１０Ｅを含むようにアッセンブルされ、そしてｅＮＢ１２も、ＲＲＣファンクション又はモジュール１２Ｅを含む。ＲＲＣファンクション１０Ｅ、１２Ｅは、メモリ１０Ｂ、１２Ｂで実施されるソフトウェアとして完全に又は一部分具現化される。
【００２２】
又、ＵＥ１０及びＲＲＣファンクション１０Ｅには、少なくとも１つのタイマー（待機タイマー）１０Ｆも関連しており、これは、ｅＮＢ１２のＲＲＣファンクション１２ＥによってＲＲＣＣｏｎｎｅｃｔｉｏｎＲｅｌｅａｓｅメッセージに含まされた待機タイマー情報に基づいてＵＥ１０によりセットされる。待機タイマー１０Ｆは、周期的にインクリメントされるレジスタ又はメモリ位置のようなハードウェアタイマーとして、又はソフトウェアタイマーとして、或いはハードウェア及びソフトウェアの組み合わせとして具現化される。タイマー１０Ｆは、２つの非限定例として、それが時間切れしたときを検出するためにデータプロセッサ１０Ａによりポーリングされるか、又はそれが時間切れしたときにデータプロセッサ１０Ａに割り込みを発生する。
【００２３】
ＰＲＯＧ１０Ｃ及び１２Ｃの少なくとも一方は、以下に詳細に述べるように、関連ＤＰにより実行されたとき、本発明の規範的実施形態に基づいて装置が動作できるようにするプログラムインストラクションを含むと仮定する。即ち、本発明の規範的な実施形態は、ＵＥ１０のＤＰ１０Ａ及び／又はｅＮＢ１２のＤＰ１２Ａにより実行可能なコンピュータソフトウェア、又はハードウェア、或いはソフトウェア及びハードウェア（並びにファームウェア）の組み合わせにより、少なくとも一部分、具現化される。
【００２４】
一般的に、ＵＥ１０の種々の実施形態は、これに限定されないが、セルラー電話、ワイヤレス通信能力を有するパーソナルデジタルアシスタント（ＰＤＡ）、ワイヤレス通信能力を有するポータブルコンピュータ、ワイヤレス通信能力を有するデジタルカメラのような画像捕獲装置、ワイヤレス通信能力を有するゲーム機、ワイヤレス通信能力を有する音楽記憶・再生機器、ワイヤレスインターネットアクセス及びブラウジングを行うことのできるインターネット機器、並びにそのような機能を組み合わせて合体するポータブルユニット又はターミナルを含む。
【００２５】
コンピュータ読み取り可能なＭＥＭ１０Ｂ及び１２Ｂは、ローカルな技術的環境に適した任意の形式のものであり、適当なデータ記憶技術、例えば、半導体ベースのメモリ装置、ランダムアクセスメモリ、リードオンリメモリ、プログラマブルリードオンリメモリ、フラッシュメモリ、磁気メモリ装置及びシステム、光学的メモリ装置及びシステム、固定メモリ及び除去可能なメモリを使用して具現化される。ＤＰ１０Ａ及び１２Ａは、ローカルな技術的環境に適した任意の形式のものであり、非限定例として、汎用コンピュータ、特殊目的コンピュータ、マイクロプロセッサ、デジタル信号プロセッサ（ＤＳＰ）、及びマルチコアプロセッサアーキテクチャーをベースとするプロセッサを含む。
【００２６】
典型的に、ＲＲＣシグナリング接続をなすためにＵＥ１０がネットワーク（ｅＮＢ１２）へ送信する第１のメッセージ（即ち、ＲＲＣＣｏｎｎｅｃｔｉｏｎＲｅｑｕｅｓｔメッセージ）は、ＵＥ１０が共通（共有）チャンネル（ＣＣＣＨ）を使用するので、サイズが小さい。従って、ＵＥ１０が含むことのできる情報は、極めて限定される。それ故、あるケースでは、ｅＮＢ１２は、ＲＲＣＣｏｎｎｅｃｔｉｏｎＲｅｑｕｅｓｔメッセージを受信するときＵＥ１０からのＲＲＣ接続要求を受け容れねばならないかどうか分からない。このケースでは、ｅＮＢ１２は、ＲＲＣ接続要求を受け容れることができる。しかしながら、ｅＮＢ１２がＲＲＣＣｏｎｎｅｃｔｉｏｎＳｅｔｕｐＣｏｍｐｌｅｔｅメッセージにおいて更に別の情報を受信し、そしてＲＲＣ接続を受け容れるべきでないと判断すると、ＲＲＣ接続を解放しなければならない。典型的に、ＲＲＣＣｏｎｎｅｃｔｉｏｎＳｅｔｕｐＣｏｍｐｌｅｔｅメッセージは、専用チャンネル（ＤＣＣＨ）を経て送信され、そしてメッセージのサイズは、共通チャンネルの場合より制限が少ない。
【００２７】
例えば、マシン対マシン（装置対装置又はＤ２Ｄ）が考慮され、そしてｅＮＢ１２が何らかの理由で（例えば、負荷の事柄のために）この形式の通信を受け容れたくない場合には、この形式の情報（即ち、マシン対マシン装置関連）は、ＲＲＣＣｏｎｎｅｃｔｉｏｎＲｅｑｕｅｓｔメッセージではなく、ＲＲＣＣｏｎｎｅｃｔｉｏｎＳｅｔｕｐＣｏｍｐｌｅｔｅメッセージに含まれる。別の例は、ある特定のＭＭＥがＭＭＥプールにおいて混雑しており、そしてｅＮＢ１２がＲＲＣＣｏｎｎｅｃｔｉｏｎＳｅｔｕｐＣｏｍｐｌｅｔｅメッセージの受信後に登録されたＭＭＥの知識しか得られない（ＵＥ１０は、登録されたＭＭＥ情報をＲＲＣＣｏｎｎｅｃｔｉｏｎＳｅｔｕｐＣｏｍｐｌｅｔｅメッセージに含ませる）ケースに関連したものである。従って、このケースでは、ｅＮＢ１２は、ＵＥ１０がｅＮＢ１２を経て接続を試みるＭＭＥが混雑している場合に、ＲＲＣ接続を解放しなければならない。
【００２８】
これらの規範的ケースでは、ＵＥ１０は、ＲＲＣ接続を設定できるかどうか決定するためのチェックを行えるように、ある時間の後に復帰しなければならない。しかしながら、現在の標準手順によれば、ＵＥ１０は、ＮＡＳ手順を中止するか、又はＮＡＳ手順（新たなシグナリング接続設定を含む）をマシン対マシン装置に対して早く繰り返し過ぎる。
【００２９】
ＲＲＣＣｏｎｎｅｃｔｉｏｎＲｅｌｅａｓｅメッセージは、次のように定められる。
0005889308.tif 000003
【００３０】
本発明の規範的実施形態による１つの考えられる具現化は、このメッセージの拡張部分に待機タイマー情報を追加して、ネットワーク（ｅＮＢ１２のＲＲＣファンクション１２Ｅ）が待機タイマー値を明示的に信号できるようにする。例えば、
ｗａｉｔＴｉｍｅ              ＩＮＴＥＧＥＲ（１．．ｘｘ）
【００３１】
ＵＥ１０は、それがＲＲＣＣｏｎｎｅｃｔｉｏｎＲｅｌｅａｓｅメッセージにおいてｗａｉｔＴｉｍｅｒ値を受け取ると、ＩＮＴＥＧＥＲ（１．．ｘｘ）により表された値に基づいてタイマー１０Ｆをセットし、次いで、タイマー１０Ｆが満了となるまで待機する。満了となると、ＵＥ１０は、ＮＡＳレイヤに通知し、そしてＮＡＳは、ＲＲＣＣｏｎｎｅｃｔｉｏｎＲｅｑｕｅｓｔメッセージを送信することによりシグナリングベアラを設定する別の試みをトリガーする。
【００３２】
規範的実施形態の別の考えられる具現化では、ＵＥ１０が応答するＲｅｌｅａｓｅＣａｕｓｅ情報エレメント（ＩＥ）に新たな原因(cause)値を追加し、これは、ＵＥがＲＲＣＣｏｎｎｅｃｔｉｏｎＲｅｌｅａｓｅメッセージからこの指示を受け取るときに、タイマー１０Ｆをある固定値（例えば、標準化により予め確立された値）でスタートさせ、次いで、タイマー１０Ｆが満了になるのを待機することにより行われる。満了となるときに、ＵＥ１０は、ＮＡＳレイヤに通知し、そしてＮＡＳは、ＲＲＣＣｏｎｎｅｃｔｉｏｎＲｅｑｕｅｓｔメッセージを送信することによりシグナリングベアラを設定する別の試みをトリガーする。
【００３３】
この後者の実施形態では、所定のタイマー値は、ＵＥ１０のソフトウェアの一部分として記憶されるか、又はシステム情報シグナリングにおいてｅＮＢ１２から受け取られる（従って、その後のｅＮＢシステム情報シグナリングにおいてｅＮＢ１２によっておそらく変更される）。
【００３４】
以上に基づき、本発明の規範的な実施形態は、ＲＲＣＣｏｎｎｅｃｔｉｏｎＲｅｌｅａｓｅメッセージがＵＥ１０へ送信されたときにＵＥ／ネットワーク動作を向上させるための方法、装置及びコンピュータプログラム（１つ又は複数）を提供することが明らかであろう。
【００３５】
図６は、本発明の規範的実施形態による方法の操作、及びコンピュータプログラムインストラクションの実行の結果を示す論理フローチャートである。これらの規範的実施形態によれば、この方法は、ブロック６Ａにおいて、ＲＲＣ接続済状態にあるときに、ネットワークアクセスノードからＲＲＣ接続解放メッセージを受信するステップを遂行する。ブロック６Ｂにおいて、ＲＲＣ接続解放メッセージの一部分を含む待機タイマー指示に基づいて待機タイマーをセットするステップがある。ブロック６Ｃにおいて、待機タイマーの満了時に実行されて、ネットワークアクセスノードへのＲＲＣ接続要求メッセージの送信を開始できるようにするステップがある。
【００３６】
図６の方法では、待機タイマー指示は、待機タイマーをセットする期間を明示的に定める情報エレメントにおいて受信される。
【００３７】
図６の方法では、待機タイマー指示は、待機タイマーをセットする期間を暗示的に定める情報エレメントにおいて受信される。
【００３８】
手前の段落の方法では、情報は、解放原因指示の一部分を含み、そして待機タイマーは、所定値にセットされる。
【００３９】
又、規範的な実施形態は、ソフトウェアプログラムインストラクションを含む非一時的コンピュータ読み取り可能な媒体にも関するものであり、少なくとも１つのデータプロセッサによるソフトウェアプログラムインストラクションの実行は、図６及び幾つかの手前の関連する段落の方法の実行を含む動作の遂行を生じさせる。
【００４０】
図７は、本発明の規範的実施形態による方法の操作、及びコンピュータプログラムインストラクションの実行の結果を示す論理フローチャートである。これらの規範的実施形態によれば、この方法は、ブロック７Ａにおいて、移動ノードと共にネットワークアクセスノードを操作するステップを、そしてブロック７Ｂにおいて、移動ノードへ無線リソースコントロール（ＲＲＣ）接続解放メッセージを送信するステップを遂行し、ここで、ＲＲＣ接続解放メッセージは、ＲＲＣ接続要求メッセージの送信を開始する前に移動ノードが待機しなければならない時間量を指定するための待機タイマー指示を含む。
【００４１】
図７の方法において、待機タイマー指示は、待機タイマーをセットする期間を明示的に定める情報エレメントに含まれる。
【００４２】
図７の方法において、待機タイマー指示は、待機タイマーをセットする期間を暗示的に定義する情報として送信される。
【００４３】
図７の方法において、待機タイマー指示は、解放原因指示において送信される。
【００４４】
又、規範的な実施形態は、ソフトウェアプログラムインストラクションを含む非一時的コンピュータ読み取り可能な媒体にも関するものであり、少なくとも１つのデータプロセッサによるソフトウェアプログラムインストラクションの実行は、図７及び図７を説明する幾つかの段落の方法の実行を含む動作の遂行を生じさせる。
【００４５】
図６及び７に示す種々のブロックは、方法のステップとして考えられ、及び／又はコンピュータプログラムコードの動作から生じる動作として考えられ、及び／又は関連ファンクションを実行するように構成された複数の結合された論理回路素子として考えられる。
【００４６】
従って、規範的な実施形態は、プロセッサと、コンピュータプログラムコードを含むメモリとを備えた装置も包含する。メモリ及びコンピュータプログラムコードは、プロセッサと共に、装置が、少なくとも、ＲＲＣ接続済状態にあるとき、ネットワークアクセスノードからＲＲＣ接続解放メッセージを受信し、そのＲＲＣ接続解放メッセージの一部分を含む待機タイマー指示に基づいて装置の待機タイマーをセットし、そしてその待機タイマーの満了時に、ネットワークアクセスノードへのＲＲＣ接続要求メッセージの送信を開始できるようにするよう構成される。
【００４７】
又、規範的な実施形態は、ＲＲＣ接続済状態にあるとき、ネットワークアクセスノードからＲＲＣ接続解放メッセージを受信するための手段と、そのＲＲＣ接続解放メッセージの一部分を含む待機タイマー指示に基づき前記タイマーをセットする手段と、待機タイマーの満了に応答して、ネットワークアクセスノードへのＲＲＣ接続要求メッセージの送信を開始できるようにする手段とを備えた装置も包含する。
【００４８】
又、規範的な実施形態は、ＲＲＣ接続解放メッセージを移動ノードへ送信するための方法、装置、及びコンピュータプログラムコードも包含し、ＲＲＣ接続解放メッセージは、ＲＲＣ接続要求メッセージの送信を開始するまで移動ノードが待機しなければならない時間量を指定するための待機タイマー指示を含む。
【００４９】
前記段落の方法、装置及びコンピュータプログラムコードにおいて、待機タイマー指示は、待機タイマーをセットする期間を明示的に定める情報エレメントに含まれるか、又は解放原因指示のように、待機タイマーをセットする期間を暗示的に定める情報として送信される。
【００５０】
一般的に、種々の規範的実施形態は、ハードウェア又は特殊目的回路、ソフトウェア、ロジック又はその組み合わせで具現化される。例えば、ある態様は、ハードウェアで具現化される一方、他の態様は、コントローラ、マイクロプロセッサ又は他のコンピューティング装置により実行されるファームウェア又はソフトウェアで具現化されるが、本発明は、それに限定されない。本発明の規範的実施形態の種々の観点を、ブロック図、フローチャートとして、又は他の絵画的表現を使用して、図示して説明したが、ここに述べたそれらのブロック、装置、システム、技術又は方法は、非限定例として、ハードウェア、ソフトウェア、ファームウェア、特殊目的回路又はロジック、汎用ハードウェア又はコントローラ、又は他のコンピューティング装置、或いはその組み合わせで具現化されることを理解されたい。
【００５１】
本発明の規範的実施形態の少なくとも幾つかの観点は、集積回路チップ及びモジュールのような種々のコンポーネントで実施され、そして本発明の規範的実施形態は、集積回路として実施される装置において実現されることを理解されたい。１つ又は複数の集積回路は、本発明の規範的実施形態に基づいて動作するように構成できる１つ又は複数のデータプロセッサ、１つ又は複数のデジタル信号プロセッサ、基本帯域回路、及び高周波回路、の少なくとも１つ以上を実施するための回路（及びおそらくはファームウェア）を含む。
【００５２】
本発明の以上の規範的実施形態に対する種々の変更及び適応は、当業者であれば、以上の説明を添付図面に関連して読めば、明らかとなろう。しかしながら、それらの変更は、全て、本発明の規範的実施形態の範囲内に包含される。
【００５３】
例えば、本発明の規範的な実施形態は、ＵＴＲＡＮ  ＬＴＥ及びＬＴＥ−Ａシステムに関して上述したが、これらの特定形式のワイヤレス通信システムのみに使用するように限定されず、他のワイヤレス通信システムにも効果的に使用できることが明らかである。
【００５４】
「接続(connected)」、「結合(coupled)」又はその変形は、２つ以上の要素間の直接的又は間接的な接続又は結合を意味し、且つ一緒に「接続」又は「結合」される２つの要素間に１つ以上の中間要素が存在することも包含することに注意されたい。要素間の結合又は接続は、物理的、論理的又はその組み合わせである。幾つかの非限定的で且つ非徹底的な例として、ここで使用する２つの要素は、１本以上のワイヤ、ケーブル及び／又は印刷電気的接続の使用により、並びに高周波領域、マイクロ波領域及び光学的領域（可視及び非可視の両方）に波長を有する電磁エネルギーのような電磁エネルギーの使用により一緒に「接続」又は「結合」されると考えられる。
【００５５】
更に、上述したパラメータに使用される種々の名前（例えば、ｗａｉｔＴｉｍｅ、等）は、それに限定されない。というのは、それらのパラメータは、いずれの適当な名前でも識別できるからである。更に、異なるチャンネルに指定される種々の名前（例えば、ＣＣＣＨ、ＤＣＣＨ、等）及びプロトコルレイヤ（例えば、ＲＲＣ）も、それに限定されない。というのは、それらの種々のチャンネル及びプロトコルレイヤは、いずれの適当な名前でも識別できるからである。更に、上述したメッセージに使用される種々の名前（例えば、ＲＲＣＣｏｎｎｅｃｔｉｏｎＲｅｌｅａｓｅ、等）も、それに限定されない。というのは、それらのメッセージは、いずれの適当な名前でも識別できるからである。
【００５６】
更に、本発明の種々の非限定の規範的実施形態のある特徴は、他の特徴を対応的に使用しなくても効果的に使用できる。従って、以上の説明は、本発明の原理、教示及び規範的実施形態を単に例示するもので、それに限定されない。
【符号の説明】
【００５７】
１：ネットワーク
１０：ＵＥ
１０Ａ：データプロセッサ（ＤＰ）
１０Ｂ：メモリ（ＭＥＭ）
１０Ｃ：コンピュータインストラクションのプログラム（ＰＲＯＧ）
１０Ｄ：高周波送信器／受信器対（トランシーバ）
１０Ｅ：ＲＲＣファンクション又はモジュール
１０Ｆ：待機タイマー
１１：ワイヤレスリンク
１２：ｅＮＢ
１２Ａ：ＤＰ
１２Ｂ：メモリ
１２Ｃ：ＰＲＯＧ
１２Ｅ：ＲＲＣファンクション又はモジュール
１４：ネットワークコントロールエレメント
【図１】
0005889308.tif 000004
【図２】
0005889308.tif 000005
【図３】
0005889308.tif 000006
【図４】
0005889308.tif 000007
【図５】
0005889308.tif 000008
【図６】
0005889308.tif 000009
【図７】
0005889308.tif 000010